(57)【要約】  【課題】  胴内裏面排紙型の画像形成装置において排出口から排出中の用紙に形成された画像の確認を容易に行えるようにする。  【解決手段】  用紙排出口８の下方に、反射鏡９を角度調整可能に取り付ける。反射鏡９の角度は、使用者が装置の操作位置から排出中の用紙に形成された画像の反射像が確認できるように調整し、前記操作位置から使用者が反射鏡９の反射像を目視して排出中の用紙の下側に形成された画像の確認をする。【選択図】      図２
2005215222.tif 000002
【特許請求の範囲】
【請求項１】
胴内裏面排紙型の画像形成装置において、排紙口の下部に第１の反射鏡を設け、排紙口から排出される紙面に形成された画像を前記反射鏡で装置正面方向に反射させて、前記紙面に形成された画像を使用者に視認可能としたことを特徴とする画像形成装置。
【請求項２】
前記第１の反射鏡は、前記画像の反射角度が可変である請求項１記載の画像形成装置。
【請求項３】
前記第１の反射鏡の上方に第１の反射鏡を覆うように透明なカバーをさらに設けた請求項１又は２記載の画像形成装置。
【請求項４】
装置正面に、前記第１の反射鏡が反射した画像をさらに反射する第２の反射鏡を設けた請求項１〜３のいずれかに記載の画像形成装置。
【発明の詳細な説明】
【技術分野】
【０００１】
本発明は、排出中の紙面に形成された画像を確認できる画像形成装置に関するものである。
【背景技術】
【０００２】
画像形成装置として、画像が形成された用紙の排出トレイを胴内に備えたものと、機外に備えたものがある。図７、９は画像形成装置の一例で、図７は排出トレイ１を胴内に備えた複写機（以下、胴内排紙型複写機という）の従来構造の斜視図、図９は排出トレイ１４を機外に備えた複写機（以下、機外排紙型複写機という）の従来構造の斜視図である。胴内排紙型複写機と機外排紙型複写機では、前記排出トレイ１、１４の設置位置が異なるだけで、画像の形成方式は異ならない。
【０００３】
また、画像が形成された用紙の排出方式として、画像が形成された紙面が、排出トレイ側を向くように排出トレイに積載される方式（以下、裏面排紙という）と、排出トレイと反対側を向くように積載される方式（以下、表面排紙という）がある。
【０００４】
裏面排紙の場合、排出トレイ上の用紙に形成された画像を確認できない。そこで、例えば特許文献１では、図１０のように機外排紙型複写機において排出トレイ１５に透過部を形成し、反射鏡１６を設けることにより、反射鏡１６で、排出トレイ１５の裏側から透過部を通して裏面排紙された用紙に形成された画像を反射し、前記画像を確認できるようにすることが提案されている。
【特許文献１】特開２００１−７２３００号公報（第２頁−第６頁、第１図）
【発明の開示】
【発明が解決しようとする課題】
【０００５】
上述したような従来の機外排紙型複写機では、排出トレイに最初に裏面排紙された用紙に形成された画像は確認できるが、２枚目以降の用紙のものは確認できず、複数の画像を同時に出力する場合に所望の画像が排出されたことを知るためには排出された用紙を裏返す必要があった。
【０００６】
さらに、胴内排紙型複写機においてはこの構造は適用できないものとなっていた。
【０００７】
そこで、本発明は、このような現状に鑑みてなされたものであり、胴内排紙型画像形成装置において排出中の紙面に形成された画像の確認を容易に行うことのできる画像形成装置を提供することをその目的とするものである。
【課題を解決するための手段】
【０００８】
前記目的を達成するため本発明の画像形成装置では、第１の反射鏡を排紙口の下部に設ける構成とし、前記第１の反射鏡により排出口から排出される紙面に形成された画像を装置正面方向に反射させて、その反射像により前記紙面に形成された画像を用紙を裏返すことなく使用者に視認可能とした。
【０００９】
また、本発明は、前記第１の反射鏡は、前記画像の反射角度が可変である構成とし、前記反射像を広い範囲から使用者に視認可能とした。
【００１０】
また、本発明は、第１の反射鏡の上方に第１の反射鏡を覆うように透明カバーをさらに設ける構成とし、用紙が多量に排出され、積載された前記用紙が崩れた場合でも、前記第１の反射鏡の上方に用紙が覆い被さることがなく、前記反射像を使用者に視認可能とした。
【００１１】
また、本発明は、前記第１の反射鏡が反射した像を反射する第２の反射鏡が画像形成装置の正面に設ける構成とし、前記第２の反射鏡によって、排出中の紙面に形成された画像を、使用者が広い範囲から視認可能とした。
【発明の効果】
【００１２】
本発明によれば、排出中の紙面に形成された画像を確認できるため、誤った印刷を最小限にでき、複数の画像を印刷しようとした場合に排紙を裏返さなくても所望の画像が形成された紙が排出されたことがわかる。
【発明を実施するための最良の形態】
【００１３】
以下、本発明の実施の形態を、図面を用いて説明する。図１は本発明の第１の実施の形態に係る画像形成装置の一例である胴内排紙型複写機の縦断面図であり、図２は図１の胴内排紙型複写機の斜視図である。
【００１４】
図１、図２に示す胴内排紙型複写機は、原画像を読み取るスキャナ７と、読み取った画像のトナー画像が形成される感光体ドラム３と、用紙に前記トナー画像を転写する転写器４と、用紙上に画像を定着する定着器２と、画像の定着が完了した用紙を積載する排出トレイ１とを備えている。
【００１５】
給紙カセット１０に収納されている用紙６は、用紙搬送経路５を通り、まず転写器４によって感光体ドラム３上に形成されたトナー画像が転写され、定着器２で前記転写されたトナー画像が定着され、排出口８から排紙トレイ１上に裏面排紙される。
【００１６】
ここで、前記排出口の下部には第１の反射鏡９が設けられており、排出中の用紙に形成された画像が反射されるように配置されている。前記第１の反射鏡９は前記胴内排紙型複写機の使用者が操作位置から反射した像が確認できるように角度が調整され、固定されている。前記第１の反射鏡９は形状は自由であるが、一般的な鏡であって排出中の用紙に遮られない大きさでよい。
【００１７】
そして、排紙中の用紙に形成された画像は、前記胴内排紙型複写機の操作位置から前記第１の反射鏡９が反射した像により使用者が目視で確認する。
【００１８】
このように、第１の反射鏡９を配置することにより、排出トレイ１に積載された用紙６を裏返すことなく、排紙中の用紙に形成された画像の確認を容易に行うことが可能となる。
【００１９】
次に、本発明の第２の実施の形態について説明する。図３は本発明の第２の実施の形態に係る画像形成装置の一例である胴内排紙型複写機の斜視図である。
【００２０】
本実施の形態では、排紙口の下部に胴内排紙型複写機に一軸ヒンジ１１で第１の反射鏡９が支持されている。これにより、第１の反射鏡９の角度を自由に変えることができるようになっている。それ以外の構成については第１の実施の形態と同じである。
【００２１】
このように、第１の反射鏡９の角度を自由に変えられる一軸ヒンジ１１を設けても、第１の実施の形態と同様の作用効果が得られる。そして、このように第１の反射鏡９の角度を変えることで、胴内排紙型複写機の一定の操作位置からだけでなく、排出中の用紙上に形成された画像を多方向から確認することができるようになる。
【００２２】
次に、本発明の第３の実施の形態について説明する。図４は本発明の第３の実施の形態に係る画像形成装置の一例である胴内排紙型複写機の斜視図である。
【００２３】
本実施の形態では、排紙口の下部に胴内排紙型複写機にボールジョイント１２で第１の反射鏡９が支持されている。これにより、第１の反射鏡９の角度を自由に変えることができるようになっている。それ以外の構成については第１の実施の形態と同じである。
【００２４】
このように、第１の反射鏡９の角度を自由に変えられるボールジョイント１２を設けても、第１の実施の形態と同様の作用効果が得られる。そして、このように第１の反射鏡９の角度を変えることで、胴内排紙型複写機の一定の操作位置からだけでなく、排出中の用紙上に形成された画像を多方向から確認することができるようになる。
【００２５】
次に、本発明の第４の実施の形態について説明する。図５は本発明の第４の実施の形態に係る画像形成装置の一例である胴内排紙型複写機の斜視図である。
【００２６】
本実施形態では、排出口８の下方かつ第１の反射鏡９の上方に透明なカバー１３を設けている。前記カバー１３は排出された用紙が積載されないような角度がつけて固定してある。これにより、第１の反射鏡９の上方に用紙が覆い被さらないようになっている。それ以外の構成については第１の実施の形態と同じである。
【００２７】
このように、排出トレイ１上に積載された用紙が多量になって崩れても、透明なカバー１３を設けることで第１の反射鏡９の上方が用紙に覆われることはなく、第１の反射鏡９により排出中の用紙に形成された画像の確認ができるようになる。
【００２８】
次に、本発明の第５の実施の形態について説明する。図６は本発明の第５の実施の形態に係る画像形成装置の一例である胴内排紙型複写機の斜視図である。
【００２９】
本実施の形態では、胴内排紙型複写機の本体前面に第２の反射鏡１４を設けている。そして、第２の反射鏡１４は、第１の反射鏡９で反射された排出中の用紙に形成された像が第２の反射鏡１４で反射され、前記胴内排紙型複写機の操作位置から確認できるように角度が調整され、固定されている。それ以外の構成については第３の実施の形態と同じである。
【００３０】
このように、第１の反射鏡９、第２の反射鏡１４を配置することにより、胴内排紙型複写機の操作位置から目視される反射像は、鏡像ではなく原像であるため、排出中の用紙に形成された画像の確認が容易となる。
【００３１】
また、本実施形態において、排出口の下部かつ第１の反射鏡９の上部に透明なカバー、および胴内複写機本体前面と第２の反射鏡１４を接続するのにボールジョイントなどの自由な角度に可動な接続部材の少なくとも一つを設けてもよい。
【図面の簡単な説明】
【００３２】
【図１】本発明の第１の実施の形態に係る画像形成装置の一例である胴内排紙型複写機の縦断面図。
【図２】図１の胴内排出型複写機の斜視図。
【図３】本発明の第２の実施の形態に係る画像形成装置の一例である胴内排紙型複写機の斜視図。
【図４】本発明の第３の実施の形態に係る画像形成装置の一例である胴内排紙型複写機の斜視図。
【図５】本発明の第４の実施の形態に係る画像形成装置の一例である胴内排紙型複写機の斜視図。
【図６】本発明の第５の実施の形態に係る画像形成装置の一例である胴内排紙型複写機の斜視図。
【図７】胴内排紙型複写機の従来構造を示す縦断面図。
【図８】図７の胴内排紙型複写機の斜視図。
【図９】機外排紙型複写機の従来構造を示す斜視図。
【図１０】排出トレイの透過部および反射鏡が設けられた機外排紙型複写機の従来構造を示す斜視図。
【符号の説明】
【００３３】
１    排出トレイ
２    定着器
３    感光体ドラム
４    転写器
５    用紙搬送経路
６    用紙
７    スキャナ
８    排出口
９    第１の反射鏡
１０    給紙カセット
１１    一軸ヒンジ
１２    ボールジョイント
１３    透明なカバー
１４    第２の反射鏡
１５    排出トレイ
１６    反射鏡
【図１】
2005215222.tif 000003
【図２】
2005215222.tif 000004
【図３】
2005215222.tif 000005
【図４】
2005215222.tif 000006
【図５】
2005215222.tif 000007
【図６】
2005215222.tif 000008
【図７】
2005215222.tif 000009
【図８】
2005215222.tif 000010
【図９】
2005215222.tif 000011
【図１０】
2005215222.tif 000012